(57)【要約】      （修正有）【課題】フルートなどの唄口を有する（リードを用いない）楽器を吹いた時に初心者でも正しい音階で美しい音色が出せるようにするための、唄口を有する楽器の演奏補助具および演奏補助装置の提供。【解決手段】唄口を吹いた時に正しい音階となる息の方向を段階的に指示するための目印を、目で捕らえさせて唄口を吹かせることによって、息を吹く方向が視線の方向に一致し、初心者でも正しい音階で美しい音色が出せてそのまま本格的な練習に入って行けるようにすることが出来る。【選択図】図１
0003134883.tif 000002
【実用新案登録請求の範囲】
【請求項１】
唄口を吹いた時に正しい音階となる息の方向を段階的に指示するための目印が設けられていると共に、これ自体を支持する支持手段を備えていることを特徴とする、唄口を有する楽器用の演奏補助具。
【請求項２】
低い方の音階を示す目印の方が高い方の音階を示す目印よりも強調されて設けられている、請求項１に記載の唄口を有する楽器用の演奏補助具。
【請求項３】
前記支持手段がスタンドや掛け具や吊り具などであって、この支持手段に高さ位置の調節手段を備えている、請求項１に記載の唄口を有する楽器用の演奏補助具。
【請求項４】
前記支持手段が、開いた楽譜が閉じないように止めておくための楽譜挟みや楽譜クリップなどの止め具である、請求項１に記載の唄口を有する楽器用の演奏補助具。
【請求項５】
前記支持手段が書籍本体であり、前記目印が書籍のページに設けられている、請求項１に記載の唄口を有する楽器用の演奏補助具。
【請求項６】
前記目印が透明な板状体に設けられている、請求項１に記載の唄口を有する楽器用の演奏補助具。
【請求項７】
前記目印がステッカーであり、このステッカーとこれを貼付する前記支持手段との組に成る、請求項１に記載の唄口を有する楽器用の演奏補助具。
【請求項８】
更に前記目印を光らせるなどして目立たせるための明示手段を備えている、請求項１乃至請求項７の何れか一に記載の唄口を有する楽器用の演奏補助具。
【請求項９】
更に運指表示を行なうための運指表示手段を備え、この運指表示された音階を前記明示手段による表示に合わせるものである、請求項８に記載の唄口を有する楽器用の演奏補助具。
【請求項１０】
更にデジタル信号を出力し得るピアノなどの楽器からの演奏信号を受け付けて、この演奏信号が示す音階に対応する前記目印を前記明示手段が目立たせて表示する、請求項８に記載の唄口を有する楽器用の演奏補助具。
【請求項１１】
唄口を吹いた時に正しい音階となる息の方向を段階的に指示するための目印と、この目印を目立たせるためのステッカーなどの明示手段と、の組に成ることを特徴とする、唄口を有する楽器用の演奏補助具。
【請求項１２】
テレビジョン受像器やコンピュータディスプレイなどのディスプレイを備えると共に、このディスプレイに、唄口を吹いた時に正しい音階となる息の方向を段階的に指示する目印、を表示するための制御装置を備えており、この制御装置は更に、前記目印の内の所要の目印をハイライトするなどして目立たせるための明示手段を備えていることを特徴とする唄口を有する楽器用の演奏補助装置。
【請求項１３】
前方にスクリーンを映し出すヘッドマウントディスプレイを備えると共に、このヘッドマウントディスプレイに、唄口を吹いた時に正しい音階となる息の方向を段階的に指示する目印、を表示するための制御装置を備えており、この制御装置は更に、前記目印の内の所要の目印をハイライトするなどして目立たせるための明示手段を備えていることを特徴とする唄口を有する楽器用の演奏補助装置。
【請求項１４】
スクリーンに映像を映し出すプロジェクタであって、唄口を吹いた時に正しい音階となる息の方向を段階的に指示する目印、を表示するための制御装置を備えており、この制御装置は更に、前記目印の内の所要の目印をハイライトするなどして目立たせるための明示手段を備えていることを特徴とする唄口を有する楽器用の演奏補助装置。
【請求項１５】
低い方の音階を示す目印の方を高い方の音階を示す目印よりも強調して表示するようにした、請求項１２乃至請求項１４の何れか一に記載の唄口を有する楽器用の演奏補助装置。
【請求項１６】
更に運指表示を行なうための運指表示手段を備え、この運指表示された音階を前記明示手段による表示に合わせるものである、請求項１２乃至請求項１４の何れか一に記載の唄口を有する楽器用の演奏補助装置。
【請求項１７】
更にデジタル信号を出力し得るピアノなどの楽器からの演奏信号を受け付けて、この演奏信号が示す音階に対応する前記目印を前記明示手段が目立たせて表示する、請求項１２乃至請求項１４の何れか一に記載の唄口を有する楽器用の演奏補助装置。
【請求項１８】
更に楽曲のプレーヤを備え、このプレーヤからの演奏信号を受けて、この演奏信号が示す音階に対応する前記目印を前記明示手段が目立たせて表示する、請求項１２乃至請求項１４の何れか一に記載の唄口を有する楽器用の演奏補助装置。
【請求項１９】
更に楽曲を記録するための記憶装置を備え、この記憶装置から演奏信号を読み出してこの演奏信号が示す音階に対応する前記目印を前記明示手段が目立たせて表示する、請求項１２乃至請求項１４の何れか一に記載の唄口を有する楽器用の演奏補助装置。
【請求項２０】
更に吹奏者の演奏を録音するための、または吹奏者を録画するための記録手段を備えている、請求項１２乃至請求項１９の何れか一に記載の唄口を有する楽器用の演奏補助装置。
【考案の詳細な説明】
【技術分野】
【０００１】  本考案は、フルートなどの唄口を有する（リードを用いない）楽器を吹いた時に初心者でも正しい音階で美しい音色が出せるようにするための、唄口を有する楽器の演奏補助具および演奏補助装置に関するものである。
【背景技術】
【０００２】  フルートを吹奏する際に重要なことは、フルートを安定して支持し、唄口に適正に息を吹くこととされている。フルートの支持方法に付いては特開２００４−２０５６８２で詳しく開示されているが、息の適正な吹き方に関しては特許文献的には実用新案登録３０３８４５９の吹奏補助アダプターくらいしか知られていない。
【特許文献１】  特開２００４−２０５６８２
【特許文献２】  実用新案登録３０３８４５９
【考案の開示】
【考案が解決しようとする課題】
【０００３】  フルートの練習を始めた初心者にとって最も難しい点は、第１に音階が表わせないこと、第２に音を出せるようになってからもなかなか美しい音色にはならないことが上げられる。ピアノのようにあるキーを押えさえすれば決まった音が出る楽器とは異なり、唄口に適正に息を吹くことは初心者にとって至難の技であるように思われる。【０００４】  音楽教室などでもその教授方法はただ練習あるのみであり、はっきり言ってしまえば教授方法も何もないのが現状である。これはすなわちフルートの吹き方の技法を伝授することがいかに難しいかを示している。吹奏者は音を出そうとするあまり息を吹く口に集中し、肩に力が入ってがちがちになってしまうのである。従って当然のことながら正しい音階で美しい音色を出すことなど出来るわけがないのである。【０００５】  そこで本考案は上述したような問題を解決して、フルートの初心者でも正しい音階で美しい音色が出せてそのまま本格的な練習に入って行けるようにするための演奏補助具を世界で初めて提供することを課題とする。
【課題を解決するための手段】
【０００６】  上記課題は、唄口を吹いた時に正しい音階となる息の方向を段階的に指示するための目印が設けられていると共に、これ自体を支持する支持手段を備えていることを特徴とする、唄口を有する楽器用の演奏補助具とすることにより達成される。この使用法であるが、吹奏者はこれ等の目印の中から所要の目印を目で捕らえて唄口を吹くようにする。【０００７】  これまで吹奏者は息を吹く口に神経を集中させていたが、本考案によれば前方に設けられた前記目印を目で見ることに集中するようになる。また目印は段階的に設けられており、視線を上方向へあるいは下方向へと移して行くと、吹奏者はこの目印を目で追うことに集中するようになる。ここで特筆すべきは、演奏者は目が追う方向に自然に息を吹くことが出来る、と言う事実が本考案者によって見出されたことである。これにより、目印の位置がきちんと音階に合わされている以上、正しい音を出すことが出来るのである。この考案が為されてからこれまでを振り返って見れば、以前は吹くように言われても、特に初心者には目標が定まらなかったのである。それが今では容易に視線を定めることが出来るようになっている。【０００８】  更に特筆すべきは、こうして吹奏者が前方に設けられた目印を目で見ることに集中すると、自然に肩の力が抜けてリラックスし、フルートを構える姿勢も安定して吹奏出来るようになるため、美しい音色を出すことが出来る、と言う効果があることである。こうして従来であれば綺麗な音を出すのに２〜３年は掛かっていたのであるが、この考案の演奏補助具によれば何と１ヶ月でも出せるようになるのである。【０００９】  なお目印を吹奏者に合わせることに付いてであるが、フルートでは「３７音中の一番上の「ド」と吹奏者の唇の位置とが水平になる所」を目印の基点とすると良い。従って吹奏者の身長に応じてその高さを加減すれば良い。前記支持手段の位置を上下方向で調節するのである。また目印と吹奏者との距離に付いてはおおよそ１〜１．５メートルなどとすれば良い。また目印を移す際の段階のことであるが、最低２音、４音、３７音などとすれば良い。全くの初心者に教授するのであれば、唄口の角に息を当てる感覚を覚えさせるために頭部管の「レ」と「ソ」との２音だけで足りるし、あるいは慣れた者であっても、初心に帰る目的でこの２音を練習すようにして良い。【００１０】  またこの目印の付け方であるが、一例として縦長の紙葉に音階を表わす例えば黒丸を縦方向に付すのである。また一例として縦長の木盤に音階を表わす例えばメモリを縦方向に刻設するのである。必要があれば前記黒丸やメモリなどの目印に音階名を付すようにすれば良い。吹奏者は黒丸やメモリを目で追うようにして唄口を吹けば、息の方向が視線に追随して、黒丸やメモリを目がけて吹くようになるために、正しい音階の美しい音色が出せるようになるのである。前記木盤の例の場合、木盤は支持手段であり、この木盤に刻設されたメモリは目印であると見ることが出来る。【００１１】  なお低い方の音階を示す目印の方が高い方の音階を示す目印よりも強調されて設けられているものとしても良い。これは吹く息の強弱を示すものであり、低い方の音階の音を出す時には比較的に強く吹かせたいからである。強調の付け方は目印を大小で表わしたり濃い薄いで表わしたり、またカラー表示で色を変えるなど任意である。好適な一例として目印を多重同心円で表わしてどの円までを塗り潰すかで強弱を付けることを上げる。【００１２】  ところでこのような演奏補助具を使い始めるのに先立って目印を吹奏者に合わせることが必要である。上述したようにフルートでは３７音中の一番上の「ド」と吹奏者の唇の位置とが水平になる所を目印の基点とすると良く、これは吹奏者の身長によって変わることから、前記支持手段としてスタンドや掛け具や吊り具などを用いて、これに高さ位置の調節手段を備えたものとすると良い。スタンドであればこれを立てる支柱を伸縮自在に構成する。掛け具であればこれを止めるピンの位置を可変とするのである。また吊り具であればこれを吊す吊り紐を繰り出したり巻き戻したりし得る紐の収納具を設けたりする。支持手段は必要に応じていかようにも設計することが可能であり、またこの支持手段に備える高さ位置の調節手段も自由に設計して良い。【００１３】  また前記支持手段が、開いた楽譜が閉じないように止めておくための楽譜挟みや楽譜クリップなどの止め具であり、これに目印が設けられているものとすることが出来る。前記止め具の吹奏者に向かう面に目印を設けて成るものとするのである。楽譜台に楽譜を載せ、所要のページを開いて止め具で止めれば、この止め具がそのまま本考案の演奏補助具となる。この止め具は単独でも楽譜と一緒でも運搬や収納が容易である。またこのような止め具をアクセサリーとして構成することが可能である。【００１４】  また前記支持手段が書籍本体であり、目印が書籍のページに設けられているものとすることが出来る。紙葉に音階を表わす目印であるメモリを縦方向に並ぶように印刷したものを提供することが出来るが、このような紙葉を書籍のページとして、教則本や雑誌などに綴じ込んでおくのである。あるいは綴じ込み付録として、本体から切り離せるようにミシン目を入れたものも提供可能である。【００１５】  また目印が、一例アクリル板のような透明な板状体に設けられている演奏補助具とすることが出来る。この場合、透明な板状体は支持手段であり、この板状体に目印が設けられているものと見ることが出来る。この板状体をスタンドの頂部に設けておくなどしてこれを立てて使用するようにする。例えば複数の吹奏者が練習を行うような場合に、互いの様子や教授者の仕草などが透明な板状体を通して見られる。なお後述する演奏補助装置にも関連するが、演説の際に用いる原稿を透明な液晶ディスプレイに表示しておき、演説者にはこの原稿が見えるが聴衆からは見えないようにする装置があるが、これと同じように透明な液晶ディスプレイに本考案の演奏補助具すなわち唄口を吹いた時に正しい音階となる息の方向を段階的に指示する目印を表示する演奏補助装置を提供することが可能である。これは発表会などの演奏会で使用すると良いであろう。【００１６】  また目印がステッカーであり、このステッカーとこれを貼付する前記支持手段との組に成るものとすることが出来る。これによれば、唄口を吹いた時に正しい音階となる息の方向を段階的に指示するための目印を、吹奏者自らが設ける必要が��る。そしてこの目印を目で追って唄口を吹くようにするのであるが、この際に吹奏者自らが正しく目印を設定していなくては正しい音が出ないため、音階に対する感覚がこの作業を通して自然に身につくのである。なお本考案は、唄口を吹いた時に正しい音階となる息の方向を段階的に指示するための目印と、この目印を目立たせるためのステッカーなどの明示手段と、これ等を支持する支持手段との組に成る、唄口を有する楽器用の演奏補助具とすることが出来る。この一つの実施形態として、紙葉に音階を表わす目印であるメモリを縦方向に並ぶように印刷したものを貼り付けた台紙とステッカーとの組を上げる。ステッカーは蛍光印刷に成る円形のものであって、裏面に設けられた剥離紙を取り去ると現われる粘着面によって紙葉に貼付することが出来る。またこの紙葉が前記書籍のページとして構成されているものを実施形態として上げることが出来る。この場合書籍は支持手段である。【００１７】  次に、これまで説明して来た演奏補助具に、更に前記目印を光らせるなどして目立たせるための明示手段を設けたものとしても良い。この明示手段の一例としては、目印に例えばＬＥＤ（発光ダイオード）ランプを使用して、個々のＬＥＤランプに対応するスイッチを設け、このスイッチを介して電源からＬＥＤランプへ電力を供給出来るようにして成るものを上げる。前記スイッチはフルートであれば３７音に対応している。従ってこの内の何れか一をＯＮにすれば、この音階に対応するＬＥＤランプが点燈するので、これを吹くべき目印とするのである。このスイッチを足で操作し得るように設けても良い。また他の例として前記一群のスイッチをシンセサイザーのキーボードに割り当てて成るものを上げる。キーボードの何れかのキーを押せばこれに対応する音階のＬＥＤランプが点燈する。これにより教授者や第三者に演奏して貰い、点燈した目印に向かって吹く練習を行なうことが出来るようになる。【００１８】  このような明示手段に、更に運指表示を行なうための運指表示手段を備え、この運指表示された音階を明示手段による表示に合わせるものとしても良い。運指表示とは、例えばフルートであれば左手の親指、人差し指、中指、薬指、小指、そして右手の人差し指、中指、薬指、小指の９指が押えるキーを指図するための表示のことである。すなわち運指表示に従ってキーを押えれば音の高さを設定することが出来るのである。この運指表示手段の一例としては、フルートのキーの配列をイラストで表示すると共にキーの位置に例えばＬＥＤランプを埋め込んでおき、これに通電して光ったＬＥＤランプが示すキーを押えるように指示するものを上げる。従って吹奏者は、前記演奏補助具の明示手段を見て息を吹く方向を定めると共に、この運指表示を見て指示されたキーを押えるようにすれば良いのである。なお上掲例の場合、イラストや写真でフルートの全体図を表示してこのキー配列にＬＥＤランプを埋め込むような構成も可能である。【００１９】  また上述したような明示手段に、更にデジタル信号を出力し得るピアノなどの楽器からの演奏信号を受け付けて、この演奏信号が示す音階に対応する目印を、前記明示手段が目立たせて表示するような構成を設けても良い。上述のスイッチの��作に楽曲のプレーヤの演奏信号を利用するものと考えることが出来る。なお必要なものは演奏信号であって、これをスピーカなどに流すか否かの設定は任意である。【００２０】  さて上述した課題は、テレビジョン受像器やコンピュータディスプレイなどのディスプレイを備えると共に、このディスプレイに、唄口を吹いた時に正しい音階となる息の方向を段階的に指示する目印、を表示するための制御装置を備えており、この制御装置は更に、前記目印の内の所要の目印をハイライトするなどして目立たせるための明示手段を備えていることを特徴とする唄口を有する楽器用の演奏補助装置とすることによっても達成される。【００２１】  テレビジョン受像器やパーソナルコンピュータは、一般的にハードディスクやＲＯＭ（Ｒｅａｄ  Ｏｎｌｙ  Ｍｅｍｏｒｙ）などの記憶装置やＣＰＵ（Ｃｅｎｔｒａｌ  Ｐｒｏｓｅｓｓｉｎｇ  Ｕｎｉｔ）やＲＡＭ（Ｒａｎｄｏｍ  Ａｃｃｅｓｓ  Ｍｅｍｏｒｙ）等を備えているため、記憶装置に唄口を吹いた時に正しい音階となる息の方向を段階的に指示する目印を表示するためのソフトウェアをインストールしておき、これを読み出してＲＡＭ上に展開し、ＣＰＵで演算処理して前記制御装置をソフトウェア的に構成することが出来る。この制御装置は前記目印をディスプレイに表示する。目印としては一例として音階を表わす例えば黒丸やメモリ（目盛りの意）を縦方向に配置して画面を描画する。また必要があれば黒丸やメモリなどの目印に音階名を付すようにすれば良い。またこの制御装置は、前記目印をハイライトするなどして目立たせるための明示手段を備えていることを特徴としている。吹かせようとする目印が他の目印から吹奏者に明らかに区別が付けられるようにするために、前記制御装置が画面の表示の中で目印を目立たせるハイライト処理などの処理を行なうように設計すれば良い。ハイライト以外には、その目印を発光させる、着色する、枠囲いする、立体化するなど、表示上で可能なことであるならばどう設計しようとも全く自由である。その対象となる目印は、フルートであれば３７音に対応している。なおこの明示手段を操作するためのスイッチとしては、テレビジョン受像器であればリモコンのスイッチ、テレビジョン受像器やパーソナルコンピュータであれば、外付けのピアノキー配列のキーボード等々を設計過程で任意に選択することが出来る。【００２２】  従ってディスプレイ上に表示された黒丸やメモリなどの目印の内から、今から吹かせようとする音階に対応する目印を目立たせるようにすると、吹奏者はこの目立つ表示の目印を目で追うようになるので、息の方向が視線に追随して、黒丸やメモリなどの目印を目がけて吹くようになるため、正しい音階の美しい音色が出せるようになる。特に目印を目立たせることは、吹奏者の反応速度を高めることに役立っている。【００２３】  なお現在ではデジタルカメラで撮影した画像を記録したＳＤカード（商標である）などの可搬型記憶装置を挿入するスロットを備え、ここに挿入すると自動的に画像を表示するテレビジョン受像器が存在しているため、目印をディスプレイに表示するのにこのようなテレビジョン受像器を利用することが可能である。すなわちこのような記憶装置に本考案の目印を写真やイラストなどとして記録しておけば良い。また異なる音階を表わした写真やイラストなどをスライドショーとして表示するようにしても良い。あるいは動画が再生出来るものであれば連続して音階を吹く練習に利用し得る。またテレビジョン受像器の制御装置に前記目印の内の所要の目印をハイライトするなどして目立たせるための明示手段を備えている。一実施形態としてリモコンのカーソルキーでハイライトする目印を変えることが出来るように設定したものを上げる。【００２４】  また上述の課題は、前方にスクリーンを映し出すヘッドマウントディスプレイを備えると共に、このヘッドマウントディスプレイに、唄口を吹いた時に正しい音階となる息の方向を段階的に指示する目印、を表示するための制御装置を備えており、この制御装置は更に、前記目印の内の所要の目印をハイライトするなどして目立たせるための明示手段を備えている、楽器用の演奏補助装置とすることによって達成される。【００２５】  ヘッドマウントディスプレイには、専用のゴーグルタイプのものや、普段使用している眼鏡のレンズの前方に配設するタイプのものなどがあり、ディスプレイ部分は主に液晶ディスプレイになるものであり、これを着用すると前方に映像を映し出すことが出来ると言うものである。従ってこれを出力装置とする可搬型のコンピュータで上述したソフトウェアを動作させれば、いつでも前方に、唄口を吹いた時に正しい音階となる息の方向を段階的に指示する目印を表示することが出来、明示手段によって所要の目印をハイライトするなどして目立たせることが可能になる。このものは持ち運びや収納に便利であり、吹奏者が一人で練習する際にこれを着用すれば、極めて容易に自習することが出来るのである。なおこれを着用する頭部が上下に振れても画面が振れないように補正するための補正手段を設けるようにしても良い。頭部の振れを感知するにはモーションセンサなどのセンサからの信号を制御装置で受けるようにする。なおここではヘッドマウントディスプレイに目印を表示するために可搬型のコンピュータを使用した例を上げたが、せっかくコンピュータを利用しているのであれば後述する運指表示手段やプレーヤを備えるようにすると更に良い。【００２６】  また上述した課題はスクリーンに映像を映し出すプロジェクタであって、唄口を吹いた時に正しい音階となる息の方向を段階的に指示する目印、を表示するための制御装置を備えており、この制御装置は更に、前記目印の内の所要の目印をハイライトするなどして目立たせるための明示手段を備えている演奏補助装置とすることにより達成される。【００２７】  プロジェクタによって前記目印を前方に設置したスクリーンに映像として映し出そうと言うものである。そして明示手段によって所要の目印をハイライトするなどして目立たせることが出来る。なおこのプロジェクタを出力装置とするものとしては前記コンピュータと前記ソフトウェアとの組み合わせを一例として上げる。従ってこの場合の制御装置や明示手段は前記コンピュータ上に実現させるようにすると良い。【００２８】  さて上述したテレビジョン受像器やパーソナルコンピュータのディスプレイ、ヘッドマウントディスプレイ、プロジェクタのスクリー��などに前記目印を映し出す装置に関して、低い方の音階を示す目印の方を高い方の音階を示す目印よりも強調して表示するようにすることが出来る。これは低い方の音階の音を出す時には比較的に強く吹かせる、と言うように吹く息の強弱を示すものである。強調の付け方は目印を大小で表わしたり濃い薄いで表わしたり、目印を多重同心円で表わしてどの円までを塗り潰すかで強弱を付けたり、カラー表示で色を変えるなど、吹奏者にとって分かり易いものである限りは任意である。【００２９】  また前記明示手段に加えて更に、運指表示を行なうための運指表示手段を備えて、これにより運指表示された音階を前記明示手段による表示に合わせるようにしても良い。吹奏者は、前記演奏補助具の明示手段を見て息を吹く方向を定めると共に、この運指表示を見て指示されたキーを押えるようにする。すなわち運指表示に従ってキーを押えれば音の高さを設定することが出来るのである。これには前記制御装置が画面の表示の中で、フルートのキーの配列をイラストで表示してこのキーを発光させるようにする。イラストや写真でフルートの全体図を表示するようにしても良い。【００３０】  また前記明示手段に加えて更に、デジタル信号を出力し得るピアノなどの楽器からの演奏信号を受け付けて、この演奏信号が示す音階に対応する前記目印を明示手段が目立たせて表示するようにしても良い。このような楽器としては実際に外部の楽器を使用する場合と、内部的にソフトウェア的にＣＰＵ上に楽器を実現する場合とがある。なおこの演奏信号をスピーカに流すようなオプションを設けても良い。【００３１】  また前記明示手段に加えて更に、楽曲のプレーヤを備え、このプレーヤからの演奏信号を受けて、この演奏信号が示す音階に対応する前記目印を、明示手段が目立たせて表示するものとすることが可能である。テレビジョン受像器にしてもパーソナルコンピュータにしても自己の装置の中に楽曲のプレーヤを備えることが出来る。これはＣＤ−ＲＯＭプレーヤであったりＳＤ（商標）カードプレーヤであったり、ハードディスク内蔵型プレーヤであったりする。こうしたプレーヤで再生され出力される演奏信号が示す音階の通りに、明示手段が前記目印を目立たせて表示するようにすれば、演奏に合わせて吹奏者は本考案の自習方法を実施することが出来るのである。なおこの演奏をスピーカから出力することを止めるオプションを設けても良い。【００３２】  また前記明示手段に加えて更に、楽曲を記録するための記憶装置を備え、この記憶装置から演奏信号を読み出してこの演奏信号が示す音階に対応する前記目印を前記明示手段が目立たせて表示するものとすることが可能である。これによれば明示手段が、記憶装置から読み出した演奏信号が示す音階の通りに、前記目印を目立たせて表示する。前記記憶装置には、例えば音楽出版社や音楽教室などのＷＷＷサイトからダウンロードした楽曲が記録される。【００３３】  次に本考案の演奏補助装置は、更に吹奏者の演奏を録音するためのまたは吹奏者を録画するための記録手段を備えているものとしても良い。この演奏補助装置を用いて練習することにより上達して行く吹奏者自身を記録して聞くことは吹奏者の励みになるものである。正しい音階が吹���る、綺麗な音が出せることが記録として残せるのも重要である。
【考案の効果】
【００３４】  本考案によれば、唄口を吹いた時に正しい音階となる息の方向を段階的に指示するための目印を、目で捕らえさせて唄口を吹かせることによって、フルートなどの唄口を有する楽器を、初心者でも正しい音階で美しい音色が出せてそのまま本格的な練習に入って行けるようにすることが出来るようになった。このような演奏補助具や演奏補助装置は世界でも初めてものであり、これ等が音楽界に及ぼす産業上の利益には計り知れないものがある。
【考案を実施するための最良の形態】
【００３５】  （第１実施形態）
図１及び図２を用いて本実施形態を説明する。先ず図２で示すように、縦長の紙葉１０に目印２，２０とメモリとを印刷すると共に、これ等の目印２，２０の脇に各々の音階名２１を記したものを、支持手段であるスタンド１１に貼付して成る演奏補助具１である。紙葉１０には音階が一番低い「ド」から３オクターブ上の「ド」までの３７音で表示されている。目印は３重円の目印２と、半音高い（低い）音を表わす黒丸の目印２０とから成っている。３重円の中心円は黒丸である。これ等の黒丸は低い方に向かって１オクターブ毎に大きくなるように設けられている。すなわち低い方の音階を示す目印の方が高い方の音階を示す目印よりも強調されて設けられているわけである。【００３６】  図１に示すように、支持手段であるスタンド１１は床に置く台部１２に立設した長さ調節自在な脚部１３の頂部に立てて固定されたものであり、このスタンド１１の表面に前記紙葉１０が貼り付けられたものである。前記脚部１３には調節ネジ１４が設けられており、これを締め付けるようにして長さ調節した脚部１３を固定する。これが本考案で言う高さ位置の調節手段である。【００３７】  さて前記脚部を伸縮させてスタンド１１の高さ調節を行うのであるが、この際に一番高い「ド」の音を指す目印２−４の位置と吹奏者の唇の位置（設置基準線Ｓを参照）とがおおよそ水平になるように位置を合わせて、調節ネジ１４を締め付けて、演奏補助具１の高さ位置を固定する。そして吹奏者はこの演奏補助具１からおおよそ１〜１．５メートル離れるようにして立ち位置を決める。こうして練習を開始することが出来る。これ等は個人個人で微調整すると良く、練習する人が変わる時には必要に応じて高さ位置を再調節するようにすれば良い。【００３８】  吹奏者は目印２，２０の円や黒丸やメモリを、目で追うようにして唄口を吹くようにするだけで、息の方向が視線に追随して目印２，２０などを目がけて吹くようになるために、正しい音階の美しい音色が出せるようになる。なお低い方の音階を示す目印の方を高い方の音階を示す目印よりも、黒丸を大きくすることで強調して設けている。これに従って黒丸が大きい低い方の音ほど強く吹くようにすると良い。【００３９】  （第２実施形態）
本実施形態の演奏補助具１５は、第１実施形態で用いた縦長の紙葉１０に目印２，２０とメモリとを印刷すると共に、これ等の目印２，２０の脇に各々の音階名２１を記載して成るものの縮小版を用いており、これを図３の楽譜挟み１６として構成したものである。楽譜挟み１６は開いた楽譜をその側面部の小口で止めて不本意にはページが捲れないようにするためのものであり、合成樹脂性の楽譜挟み１６の表側と成る部材を台板１７として、ここに前記目印２，２０等を印刷した紙葉１０が貼付されているものである。台板１７は支持手段である。この他の実施形態としては楽譜挟み１６の台板１７に直接目印２，２０を印刷して成るものを上げる。【００４０】  この楽譜挟み１６で開いた楽譜の小口を止めると、目印２，２０等は縦に表示される。またこの演奏補助具１５は吹奏者の比較的近い場所に置かれるものであるため、上述した第１実施形態の吹奏者から比較的に離れた場所に置かれる演奏補助具１とは相似形ではあるが随分と小さいものである。本実施形態の楽譜挟み１６は持ち運びや収納に便利である。また市販可能である他に各種音楽関連商品やサービスの付録としても利用することが可能である。【００４１】  本実施形態によれば、図３から明らかであるようにこの音階は一番低い「ド」から３オクターブ上の「ド」までの３７音で表示されている。目印は３重円の目印２と、半音高い（低い）音を表わす黒丸の目印２０とから成っている。３重円の中心円は黒丸である。これ等の黒丸は低い方に向かって１オクターブ毎に大きくなるように設けられている。すなわち低い方の音階を示す目印の方が高い方の音階を示す目印よりも強調されて設けられているわけである。【００４２】  （第３実施形態）
本実施形態は図４に示すように、縦長の紙葉１０に目印２，２０とメモリとを印刷すると共に、これ等の目印２，２０の脇に各々の音階名２１を記載して成るものを、楽譜クリップ１９として構成したものである。この楽譜クリップ１９は薄い金属板や合成樹脂板から成るものであり、開いた楽譜帳のページが不本意には捲れないように固定しておくための道具である。図４で示したものは、弾力性を有する薄い金属板に着色を施した楽譜クリップ１９が、その上側に支持手段としての台板１００を備えており、この台板１００上に前記紙葉１０が貼付されているものである。この他の実施形態としては、台板１００に直接目印２，２０を印刷して成るものを上げる。【００４３】  なお他の実施形態として、図示しないが、目印の付け方が異なるものを提供することが出来る。すなわち楽譜挟みや楽譜クリップの台板に貼付された紙葉は、目印を人の顔面を表わした具象形のマークとすると共に、目印を頭部管の「レ」の位置と頭部管の「ソ」の位置に付すと言うように、２音だけの目印から成っているものを上げる。なおこのような具象形のマークによる目印を、上述した楽譜挟み１５や楽譜クリップ１９の台板の裏面に設けて、両面共に使用可能とすることも出来る。【００４４】  （第４実施形態）
本実施形態の演奏補助具１０１はフルート教則本などの本１０２の巻末ページ１０３に印刷されると共に、本１０２から切り離せるように巻末ページ１０３にミシン目１０４が設けられているものとした（図５）。このものの使用に当っては巻末ページ１０３から演奏補助具１０１だけをミシン目１０４を以て切り離すようにする。そしてこれを楽譜台に載せたり、拡大コピーして壁に貼るなどして用いれば良い。なお本１０２から切り離すことなく本１０２を見開きにして使用することも可能である。【００４５】  本実施形態はそれが適用可能な本１０２の種類に限定されない。すなわち雑誌や蛇腹折りのパンフレットなども含まれる。またこの巻末ページ１０３の裏面に例えばピッコロ用の演奏補助具を印刷して設けておくなどしても良い。【００４６】  （第５実施形態）
図６は本考案のスタンドとしての演奏補助具３を正面図にて表わしたものである。このものはスタンド部分に上述した第２実施形態の台部１２や調節ネジ１４を備えて（図示せず）、脚部３１は脚部１３に類似するものとしているが、スタンド１１の代わりに透明アクリル板３０（透明な板状体である）を用い、これに４音だけの目印２２−１〜２２−４を、上述した具象形のマークである顔の形をしたステッカー３２として付したものである。このステッカー３２は裏面に剥離紙３３を有して、これを剥離することで粘着面３４が現われるように構成されており、この粘着面３４を以て支持手段としての透明アクリル板３０に貼付するものである。従って本実施形態の演奏補助具３は透明アクリル板３０とステッカー３２との組に成るものであり、またステッカー３２を透明アクリル板３０に貼着して成るものでもある。【００４７】  この演奏補助具３は、例えば発表会でステージ演奏を行なうと言うような場合に於いて、この演奏補助具３を練習時と同じように前方に立てて各々の目印２２−１〜４が客席のどの椅子（既にオーディエンスがいるのであればその頭部）の位置に当たるのかを調べておく、と言うような使い方が出来る。支持手段に透明アクリル板３０を用いているのは目印２２−１〜４の先方に客席が透視出来るようにするためである。すなわち実際の発表会では事前に見ておいた椅子（あるいは人の頭）を目印として吹奏するのである。なお目印２２−１〜４の代わりに、第１実施形態の目印２，２０を設けるようにしても良い。あるいは他の形状のものであっても良く、これは任意設計事項である。【００４８】  （第６実施形態）
次に本実施形態は図７で示すように、中間部の演奏補助具４と、上端部の運指表示部４２と、下端部の鍵盤表示部４４とから構成されている。中間部の演奏補助具４では目印２，２０の左側に、各々の目印に一対一対応させてＬＥＤライト４１が設けられている。またこの音階に対応するように上端部の運指表示部４２にもＬＥＤライト４３が設けられている。またこれ等に対応するようにして下端部の鍵盤表示部４４にもＬＥＤライト４５が設けられている。このＬＥＤライト４５は鍵盤のキーの形状を呈しているが、他のＬＥＤライト４１，４３は円形のものである。【００４９】  図８は上述の各部を含むブロック図であるが、演奏補助部４６のＬＥＤライト４１、運指表示部４７のＬＥＤライト４３、鍵盤表示部４８のＬＥＤライト４５は、音階に合わせて設置されたスイッチ群４９に並列接続されており、またこれ等に電力を供給するための電源４００が接続されている。前記ＬＥＤライト４１は明示手段の一部分を為し、ＬＥＤライト４３は運指表示手段の一部分を為す。なお鍵盤表示部４８のＬＥＤライト４５の配列は、音域がフルートのそれと一致するように設けられており、ピアノのフルート音域を表わすために設けたものであるが、運指表示手段の一部であると見ることも可能である。【００５０】  本実施形態は次のような使い方が出来るようになっている。例えば生徒である吹奏者を演奏補助具４に向かわせ、指導者役の者が前記スイッチ群４９の中から任意のスイッチを選んでＯＮ状態にすることによって、このスイッチに対応するＬＥＤライト４１，４３，４５が点燈する。吹奏者は演奏補助具４で点燈されたＬＥＤライト４１を「見て」それに向けて唄口を吹く。この際に指使いが不明であるならば、運指表示部４７のＬＥＤライト４３の中で点燈しているものを利用する。なお鍵盤表示部４８のＬＥＤライト４５の点燈も参考になる。スイッチ群４９の操作にメロディーを付けるようにしても良い。生徒同士で吹奏者と指導者の役割を交替して学ぶのも面白い。なお当然のことながら指導者役の者が教師であると本格的な教授を行なうことが出来る。【００５１】  （第７実施形態）
図９で表わした本実施形態は、上述の第６実施形態のスイッチ群４９の代わりに、デジタル信号を出力し得る楽器としての電子ピアノ４０１を配した点に特徴を有する。この電子ピアノ４０１に用いられているキーボード４０２により演奏を行うと、この電子ピアノ４０１から出力される演奏信号によって、その音階に合ったＬＥＤライト４１，４３，４５が点燈するので、吹奏者は特に演奏補助部４６で点燈しているＬＥＤライト４１を「見て」それに向けて唄口を吹くようにして練習する。他のＬＥＤライト４３，４５に関しても上述した通りである。【００５２】  なお本実施形態は電子ピアノ４０１を含んでいるが、電子ピアノ４０１に接続し得るように設けた演奏補助具とすることが可能である。また鍵盤表示部４８のＬＥＤライト４５の配列を電子ピアノ４０１に一致させて全８８個とする設計も可能である。【００５３】  （第８実施形態）
さて本実施形態は図１０で示すように、テレビジョン受像器５１の画面に表示される演奏補助具５に関するものである。すなわち唄口を吹いた時に正しい音階となる息の方向を段階的に指示する目印を、画面に表示するための制御装置に、テレビジョン受像器５１の制御装置を利用している。図１０は正面図で表わしたテレビジョン受像器５１であるが、カードスロット５２を備え、図示しない制御装置がこのカードスロット５２に挿入されたカードメモリ５３に記録されている画像を画面に表示するようになっている。またこの際に制御装置の明示手段が、前記目印をハイライト表示する。図中符号５０はこのハイライト部を指す。【００５４】  そこでこのカードメモリ５３に演奏補助具５の画像を記録しておく。なお見方を変えればこのような画像が記録されたカードメモリ５３が演奏補助具であると言うことが出来る。このような演奏補助具５では、前記明示手段が目印を画面上でハイライトさせて目立たせているため、演奏者は画面上でハイライト部５０を「見て」すなわちこの部位の目印を「見て」それに向けて唄口を吹くのである。なおこのハイライト部５０を移動させるには、テレビジョン受像機５１に付属のリモコン５４のカーソルキー５５を操作することで、前記制御装置の明示手段がこの処理を行ってくれる。なおここではテレビジョン受像器５１を使用して演奏補助装置を実現しているが、同様のことはパーソナルコンピュータなどを用いても実現可能である。【００５５】  （第９実施形態）
そのパーソナルコンピュータとプロジェクタとを利用したものが、ここで説明する第９実施形態の演奏補助装置である。すなわち図１１はこの実施形態の使用状態の説明図であるが、プロジェクタ６２はこれに接続されたノート型のコンピュータ６３の画面表示をそのままスクリーン６１に投影する。符号６は拡大して表示された演奏補助具を指す。【００５６】  従って前記演奏補助具６はコンピュータ６３によっていかようにも表示可能であるから、例えば目印を電飾したように見せたり、曲を演奏してそれに合わせるようにして目印を動かしたり、キーボードを押すことによって目印を動かせるようにしたり、併せて運指表示や鍵盤表示を行ったりを、プログラミングによって実現することが可能である。図１１ではコンピュータ６３のポインティングデバイス６４を用いてハイライト部６０を指定している様子が表わされている。吹奏者は前記スクリーン６１に投影される演奏補助具６を見て、唄口を吹いて練習して所期の成果を上げることが出来る。【００５７】  （第１０実施形態）
図１２及び図１３で表わした本実施形態は、身体の腰部等に装着可能なウェアラブルコンピュータの一機能として、演奏補助具７の表示機能を備えたものであって、眼鏡に取り付けたヘッドマウント式のディスプレイ７２を装着することにより、ディスプレイ７２の前方に現われる仮想スクリーン７１（現実に存在するものではないが、そこにあるように見える）に演奏補助具７が表示されるため、この表示の唄口を吹いた時に正しい音階となる息の方向を段階的に指示するための目印を目で追って唄口を吹くことで初心者でも正しい音階で美しい音色が出せて、そのまま本格的な練習に入って行けるようにすることが出来るようになると言うものである。目印を目で追うことで吹く息がその方向に追随する。なお図示しないが、演奏補助具７の表示機能は、明示手段を以て前記目印を演奏補助具７上でハイライトさせて目立たせるようにしている（ハイライト部７０）。【００５８】  ウェアラブルコンピュータは上述したような機能を実現するための制御部７３を中心として、前記ディスプレイ７２、このコンピュータをディスプレイ７２を見ながら操作するタッチパッドや音声を出力するヘッドフォンや音声を入力するマイクロフォン等から成る入出力部７４、このコンピュータのオペレーティングシステムＯＳや、演奏補助具７を表示するためのソフトウェアや、演奏補助具７のための楽曲などを記録しておくための記憶部７５、上述した第７実施形態のような外部からの演奏信号を得るためのピアノ入力部７７、前記記憶部７５に記録してある楽曲を再生して演奏信号を得るためのプレーヤ７６、前記ディスプレイ７２に表示された演奏補助具７の表示に従って唄口を吹いて出した音を入出力部７４で拾って録音し、後に再生して練習の評価に供するための録音部７８を備えている。【００５９】  なお更に、図７の運指表示部４２で表わしたような、運指表示を行なうための運指表示手段を備え、この運指表示された音階を前記明示手段による表示に合わせるように設計することが可能である。【００６０】  （その他の実施形態）
講演内容や演説原稿を、両面側から透明に見える液晶ディスプレイに出力する装置が存在する。これを利用して目印を表示するように構成することが出来る。このような液晶表示装置では、吹奏者に対向する者から見ると何も映っておらず吹奏者しか見えないために、この液晶表示装置の存在が目立たないのであるが、吹奏者からはこの画面を透して対向する者が見えると共にこの画面に演奏補助具が映って見えることになる。【００６１】  また本考案の演奏補助具はこれをＴシャツなどに印刷して利用するような可能性がある。この場合にはＴシャツが支持手段である。また上述した楽譜挟み１６の例からも了解されるのであるが、演奏補助具を携帯電話機のストラップに取り付けるアクセサリー等として構成することもまた可能である。
【産業上の利用可能性】
【００６２】  なおこの考案の演奏補助具は、単にフルートやピッコロの練習用に限られず、たぬ笛などの練習用としても利用することが出来る。目印の配置にはピタゴラス律や和音階などを適用することが出来る。
【図面の簡単な説明】
【００６３】
【図１】  第１実施形態の説明図である。
【図２】  同実施形態の紙葉１０部分の正面図である。
【図３】  第２実施形態の斜視図である。
【図４】  第３実施形態の正面図である。
【図５】  第４実施形態の斜視図である。
【図６】  第５実施形態の正面図である。
【図７】  第６実施形態の正面図である。
【図８】  同実施形態のブロック図である。
【図９】  第７実施形態のブロック図である。
【図１０】  第８実施形態の説明図である。
【図１１】  第９実施形態の説明図である。
【図１２】  第１０実施形態の説明図である。
【図１３】  同実施形態のブロック図である。
【符号の説明】
【００６４】１      演奏補助具
１０    紙葉
１１    スタンド
１２    台部
１３    脚部
１４    調節ネジ
１５    演奏補助具
１６    楽譜挟み
１７    台板
１８    演奏補助具
１９    楽譜クリップ
１００  台板
１０１  演奏補助具
１０２  本
１０３  巻末ページ
１０４  ミシン目
２      目印
２０    目印
２１    音階名
２２    目印
３      演奏補助具
３０    透明アクリル板
３１    脚部
３２    ステッカー
３３    剥離紙
３４    粘着面
４      演奏補助具
４０    台紙
４１    ＬＥＤライト
４２    運指表示部
４３    ＬＥＤライト
４４    鍵盤表示部
４５    ＬＥＤライト
４６    演奏補助部
４７    運指表示部
４８    鍵盤表示部
４９    スイッチ群
４００  電源
４０１  電子ピアノ
４０２  キーボード
５      演奏補助具
５０    ハイライト部
５１    テレビジョン受像機
５２    カードスロット
５３    カードメモリ
５４    リモコン
５５    カーソルキー
６      演奏補助具
６０    ハイライト部
６１    スクリーン
６２    プロジェクタ
６３    コンピュータ
６４    ポインティングデバイス
７      演奏補助具
７０    ハイライト部
７１    仮想スクリーン
７２    ディスプレイ
７３    制御部
７４    入出力部
７５    記憶部
７６    プレーヤ
７７    ピアノ入力部
７８    録音部
【図１】
0003134883.tif 000003
【図３】
0003134883.tif 000004
【図２】
0003134883.tif 000005
【図４】
0003134883.tif 000006
【図５】
0003134883.tif 000007
【図６】
0003134883.tif 000008
【図７】
0003134883.tif 000009
【図８】
0003134883.tif 000010
【図９】
0003134883.tif 000011
【図１０】
0003134883.tif 000012
【図１１】
0003134883.tif 000013
【図１２】
0003134883.tif 000014
【図１３】
0003134883.tif 000015